(57)【要約】【課題】  歯間ブラシや糸ようじを上手に操れない人が多くいる。そこで細かい作業が不要で誰にでも容易に歯間のブラッシングが可能な、そうした歯間ブラシや糸ようじなどの歯間掃除具を提供する。【解決手段】  この発明の電動式の歯間掃除具は、筐体と、該筐体内に収められた電動モータと、該電動モータの回転軸に偏心状態で取り付けられた重錘と、前記筐体に設けられた歯間掃除部とから成る。ユーザーは目指す歯間に歯間掃除部を挿通させたら、後は筐体を支えてあまり動かさないようにしているだけで、振動する歯間掃除部が自動的に歯間のブラッシングを効率良く行ってくれる。なお歯間掃除部には汎用品を用いるようにすると良い。【選択図】図１
2015080711.tif 000002
【特許請求の範囲】
【請求項１】
筐体と、該筐体内に収められた電動モータと、該電動モータの回転軸に偏心状態で取り付けられた重錘と、前記筐体に設けられた歯間掃除部とから成り、前記歯間掃除部が前記筐体に対して着脱自在であることを特徴とする、電動式の歯間掃除具。
【請求項２】
筐体と、該筐体内に収められた電動モータと、該電動モータの回転軸に偏心状態で取り付けられた重錘と、前記筐体に設けられた歯間掃除部とから成り、前記筐体は振動側筐体とハンドル側筐体とに分かれており、前記振動側筐体と前記ハンドル側筐体とは接続部を介して接続されており、前記電動モータは前記振動側筐体内に納められており、この振動側筐体に前記歯間掃除部が設けられている、電動式の歯間掃除具。
【請求項３】
前記歯間掃除部が前記振動側筐体に対して着脱自在である、請求項２に記載の電動式の歯間掃除具。
【請求項４】
前記振動側筐体と前記ハンドル側筐体とが前記接続部としての振動吸収部材で接続されている、請求項２または請求項３に記載の電動式の歯間掃除具。
【請求項５】
前記振動側筐体と前記ハンドル側筐体とが前記接続部としてのコイルバネで接続されている、請求項２または請求項３に記載の電動式の歯間掃除具。
【請求項６】
前記振動側筐体と前記ハンドル側筐体とが前記接続部としての蛇腹で接続されている、請求項２または請求項３に記載の電動式の歯間掃除具。
【請求項７】
前記歯間掃除部が歯間ブラシである、請求項１乃至請求項６の何れか一に記載の電動式の歯間掃除具。
【請求項８】
前記歯間掃除部が糸ようじである、請求項１乃至請求項６の何れか一に記載の電動式の歯間掃除具。
【発明の詳細な説明】
【技術分野】
【０００１】  この発明は、電動式に振動を発生させてその振動により歯間の掃除を行うことを特徴とする、電動式の歯間掃除具に関するものである。
【背景技術】
【０００２】  従来より歯間のブラッシングを行う用具として歯間ブラシや糸ようじなどが用いられて来た。特開２０１３−０４２９１７号の「歯間ブラシ」は、様々なサイズの歯間に対しても、ブラシ体の歯間挿入性および歯間清掃性が高く、使用感に優れた歯間ブラシを提供すべく、ワイヤの軸材と、この軸材から放射状に突出するフィラメント状のブラシ材からなる２個以上の清掃部を備え、各清掃部は、前記軸材の基端側に基端側から先端側に向かうにつれて漸次拡径する拡径部を有し、前記軸材の先端側に基端側から先端側に向かうにつれて漸次縮径する縮径部を有することを特徴としている。このような構造により、様々なサイズの歯間に対しても、ブラシ体の歯間挿入性および歯間清掃性が高く、使用感に優れたものになると言う。【０００３】  また特開２０１２−０７１０７９号の「歯ブラシ、歯間ブラシ、糸ようじ等の刷毛に研磨剤をつけたブラシ」は、刷毛の中に研磨剤を練りこむか、付着させる等して、歯を磨くことによって、従来になく簡単に歯石、歯垢を除去できる歯ブラシ、歯間ブラシ、糸ようじを実現出来たと言う。
【先行技術文献】
【特許文献】
【０００４】
【特許文献１】特開２０１３−０４２９１７号公報
【特許文献２】特開２０１２−０７１０７９号公報（図３、図４）
【発明の概要】
【発明が解決しようとする課題】
【０００５】  しかしながら、そもそも歯間ブラシや糸ようじを上手に操れない人が多くいることが分かっている。歯間ブラシや糸ようじの使用は鏡を見ながらの細かい作業になるが、歯間が狭い上に歯列が湾曲していることが原因で使用が難しいのである。また自己の現実の感覚とは対称的な鏡像によって鏡に写ること自体が返って歯間ブラシや糸ようじの使用を難しくしていることも原因の一つである。さらに歯間ブラシや糸ようじを上手に操れないと、どうしても無理を仕勝ちで歯肉を痛めてしまう虞れがある。なおデンタルフロス（商標）は特に扱い方が難しい。【０００６】  この発明の目的は上述したような問題点を解決して、細かい作業が不要で誰にでも容易に歯間のブラッシングが可能な、そうした歯間ブラシや糸ようじなどの歯間掃除具を提供することにある。
【課題を解決するための手段】
【０００７】  そこで当発明者は、歯間にブラシや糸ようじなどの歯間掃除具を入れたら、後は自動でその歯間のブラッシングが行われるようにすれば、ユーザーはただこの歯間掃除具を支えているだけで良いはずであるとの考えに至った。しかしながら図１０で表すような、筐体８０と、この筐体８０内に収められた、電動モータと該電動モータの回転軸に偏心状態で取り付けられた重錘と（何れも図示せず）、前記筐体８０の頭部８１に設けられた固着穴８２に挿着軸８４を以て固定的に設けられた歯間ブラシ８３とから成る、電動式の歯間掃除具８（図中符号８５はブラシ部、符号８６は電源の入りボタン、また符号８７は電源の切りボタンを指す）を製作して見たところ、新たに次のような（１）（２）の問題があることが分かって来た。【０００８】  （１）歯間ブラシ８３が筐体８０の頭部８１に固定的に設けられているため、長く使用している内に特に歯間ブラシ８３のブラシ部８５が劣化するが、そうなるとこの電動式の歯間掃除具８を丸ごと新しいものに取り替えなくてはならない。また（２）電動モータの回転軸に重錘を偏心状態で取り付けて電動モータを回転駆動させると、強い振動が発生して電動モータを収めた筐体８０が振動することになるが、上記歯間ブラシ８３は筐体８０に設けられているため、電動モータの振動は歯間ブラシ８３側に伝えられる。ところがこの電動モータの振動は筐体８０を持つユーザーの手の側にも伝えられるため、このことを気持ち悪いと感じるユーザーもいて問題がある。そこでこの（１）（２）の問題をどうしても解決しなくてはならないことになったのである。従ってこの発明の課題を纏めると、細かい作業が不要で誰にでも容易に歯間のブラッシングが可能な、そうした歯間ブラシや糸ようじなどの歯間掃除具に付いて、上述した（１）または（２）の何れか一の、または両方の問題点を解決することにある。【０００９】  上記課題は、筐体と、該筐体内に収められた電動モータと、該電動モータの回転軸に偏心状態で取り付けられた重錘と、前記筐体に設けられた歯間掃除部とから成り、前記歯間掃除部が前記筐体に対して着脱自在であることを特徴とする、電動式の歯間掃除具を提供することによって達成される。電動モータの回転軸に重錘を偏心状態で取り付けて、電動モータを回転駆動させると振動が発生して、電動モータを収めた筐体が振動することになるが、上記歯間掃除部は筐体に設けられているために、電動モータの振動は歯間掃除部に伝えられる。従ってユーザーは目指す歯間に歯間掃除部の部分を挿通させたら、後は筐体を支えてあまり動かさないようにしているだけで、振動する歯間掃除部が自動的に歯間のブラッシングをしてくれることになる。これであれば細かい作業は不要で、誰にでも容易に歯間のブラッシングが可能であり、無理をする必要がないため歯肉を痛めてしまう虞れが少ない。なお慣れて来たら、電動モータで振動を発生させつつ、筐体を僅かに動かして歯間掃除部を操るようなことも可能になる。【００１０】  歯間掃除部の部分は交換可能となっているため、歯間掃除部が劣化した場合でも電動式の歯間掃除具を丸ごと新しいものに取り替える必要がなく経済的である。この場合市販の歯間掃除部をそのまま用いるよう���設計することも可能である。こうして（１）の問題が解決された。【００１１】  また上記課題は、筐体と、該筐体内に収められた電動モータと、該電動モータの回転軸に偏心状態で取り付けられた重錘と、前記筐体に設けられた歯間掃除部とから成り、前記筐体は振動側筐体とハンドル側筐体とに分かれており、前記振動側筐体と前記ハンドル側筐体とは接続部を介して接続されており、前記電動モータは前記振動側筐体内に納められており、この振動側筐体に前記歯間掃除部が設けられている、電動式の歯間掃除具を提供することによって達成される。【００１２】  ハンドル側筐体を手に持つと、これは重錘を有する電動モータが納められた振動側筐体とは接続部を挟んで別筐体であるから、手に伝わる振動を低減することが出来て便利である。すなわち前記接続部を振動低減手段とすることが出来るのである。こうして（２）の問題が解決された。【００１３】  なおこのものに関して、前記歯間掃除部が前記振動側筐体に対して着脱自在であるものとしても良い。歯間掃除部の部分が交換可能であると、歯間掃除部が劣化した場合でも、電動式の歯間掃除具を丸ごと新しいものに取り替える必要がなく経済的である。この場合市販の歯間掃除用具をそのまま用いるように設計することも可能である。【００１４】  次に請求項２や請求項３の歯間掃除具に付いて、前記振動側筐体と前記ハンドル側筐体とが前記接続部としての振動吸収部材で接続されているものとしても良い。前記接続部は振動低減手段であるが、ここに振動吸収部材を用いることによって手に伝わる振動を更に低減することが出来るのである。振動吸収部材が振動側筐体からハンドル側筐体に伝わるはずの振動を極めて効率的に減衰させてくれる。この振動吸収部材の一例として天然ゴムやシリコーンゴムを上げる。【００１５】  また請求項２や請求項３の歯間掃除具に付いて、前記振動側筐体と前記ハンドル側筐体とが前記接続部としてのコイルバネで接続されているものとすることが出来る。この振動低減手段としてのコイルバネが振動側筐体からハンドル側筐体に伝わるはずの振動を良く減衰させてくれる。【００１６】  また請求項２や請求項３の歯間掃除具に付いて、前記振動側筐体と前記ハンドル側筐体とが前記接続部としての蛇腹で接続されているものとすることが出来る。この振動低減手段としての蛇腹が振動側筐体からハンドル側筐体に伝わるはずの振動をうまく減衰させてくれる。なおこの蛇腹と上述したコイルバネとを併設するようにしても良い。具体的には蛇腹の内側にコイルバネを納めて、振動側筐体とハンドル側筐体とを接続するようにするのである。【００１７】  さてこれまで説明して来た電動式の歯間掃除具に関して、前記歯間掃除部が歯間ブラシであるものとして良い。また前記歯間掃除部が糸ようじであるものとして良い。この何れも歯間掃除用具として使い勝手が良いものである。
【発明の効果】
【００１８】  この発明の電動式の歯間掃除具は、（１）筐体とこの筐体内に収められた電動モータと、該電動モータの回転軸に偏心状態で取り付けられた重錘と、筐体に設けられた歯間掃除部とから成り、歯間掃除部が筐体に対して着脱自在なものである。これによれば歯間掃除部が劣化した場合に、電動式の歯間掃除具を丸ごと新しいものに取り替えるのではなく歯間掃除部だけを取り替えることが出来るし、市販の歯間掃除部をそのまま使用し得るように構成すると更に経済的である。【００１９】  またこの発明は、（２）筐体とこの筐体内に収められた電動モータと、この電動モータの回転軸に偏心状態で取り付けられた重錘と、筐体に設けられた歯間掃除部とから成り、筐体は振動側筐体とハンドル側筐体とに分かれており、振動側筐体とハンドル側筐体とは接続部を介して接続されており、電動モータは振動側筐体内に納められており、この振動側筐体に前記歯間掃除部が設けられている電動式の歯間掃除具である。これによれば手に伝わる振動を接続部が低減させてくれると言う効果を奏する。なお歯間掃除部に市販のものを利用し得るように構成すると経済的である。
【図面の簡単な説明】
【００２０】
【図１】  実施例１の一部を切欠して表した説明図である。
【図２】  この振動側筐体周りを表した説明図である。
【図３】  この回路部分を模式的に表した説明図である。
【図４】  実施例２の説明図である。
【図５】  実施例３の説明図である。
【図６】  この一部を切欠して表した説明図である。
【図７】  この回路部分を模式的に表した説明図である。
【図８】  実施例４の回路部分を模式的に表した説明図である。
【図９】  実施例５の一部を切欠して表した説明図である。
【図１０】  従来例の説明図である。
【発明を実施するための形態】
【００２１】  以下ではこの発明の歯間掃除部に歯間ブラシや糸ようじを用いた例と、振動の伝達方式が異なる例と、子供が楽しく歯間のブラッシングが出来るようにメロディーを発生させる例とを上げて説明するが、この発明はこれ等に限定されるものではない。
【実施例１】
【００２２】  図１乃至図３で表したこの実施例の電動式歯間掃除具１は、電源スイッチ１７を押下すると、ハンドル側筐体１０の蓋部１２の内部に収められた図示しない電源電池から電力の供給を受けたモータ３が駆動されるようにシンプルに構成されている（図１）。蓋部１２は電池ボックスの蓋である。【００２３】  モータ３の回転軸３０には重錘３１が偏心状態で取り付けられており、回転軸３０の回転に伴って振動を発生する。符号３２はこのモータ３と電池と電源スイッチとをシリアルに結ぶリード線を示す（図２）。電源スイッチ１７（電源ボタン）の裏側に設けられた回路の一部を成す電源スイッチ３３が１回押下される毎に、電源電池３４から電力の供給を受けたモータ３がＯＮ／ＯＦＦを順次繰り返すように構成されている（図３）。この重錘３１を有するモータ３は筒状をした振動側筐体１３の後側に設けたモータ室１４に収められている。また振動側筐体１３の前側には挿着穴１５が設けられており、歯間掃除部としての歯間ブラシ２の挿着軸２０が、着脱自在ではあるも重錘３１の振動くらいでは挿着穴１５から外れることが難しい程度にきつく装着されるようになっている。この歯間ブラシ２の挿着軸２０の先にはブラシ２１が形成されている。なお歯間ブラシ２は、ハンドル側筐体１０の後述する開口部１１から着脱して、市販の新しい歯間ブラシに容易に交換することが出来るようになっている。【００２４】  この筒状の振動側筐体１３はその周りに振動吸収ゴム１６が巻かれており、振動側筐体１３は振動低減手段としての振動吸収ゴム１６を介してハンドル側筐体１０の中に収められている。ここで特に重要な点は、振動側筐体１３の上記挿着穴１５にきつく装着された歯間ブラシ２の挿着軸２０は、ハンドル側筐体１０の中から外に出る所でハンドル側筐体１０に設けられた開口部１１には触れないように設計されていることである。【００２５】  振動側筐体１３から発せられた振動は、振動吸収ゴム１６の介在によってハンドル側筐体１０には伝わり難く、歯間掃除部としての歯間ブラシ２には効率的に伝えられる。この際に歯間ブラシ２は、挿着軸２０の直径よりも大きな開口部１１には触れていないため、ハンドル側筐体１０に振動を伝えることはない。従って効率的に歯間をブラッシングすることが出来るのである。これは後述の実施例３と比較すると同様の構成であることが良く分かる。実施例３ではハンドル側筐体４０と振動側筐体４１とは別体であり、両者を繋ぐコイルバネ４４と蛇腹４３とは振動低減手段として作用し、振動側筐体４１からハンドル側筐体４０を持つ手に伝わる振動を良く減衰させてくれる。逆に申せば振動側筐体４１から発せられた振動は効率的に歯間掃除部としての糸ようじ５に伝えられる。このように、振動吸収ゴム１６やコイルバネ４４と蛇腹４３のような、接続部であり振動吸収部材であるものが振動側筐体とハンドル側筐体とに介在する構成はこの発明独自のものである。
【実施例２】
【００２６】  図４で表したこの実施例の電動式歯間掃除具１８はその構成の殆どを上述した実施例１の構成に倣うものであるが、筐体１９に歯間ブラシ２を収めるための収納筒１００を備えている点で異なる。この収納筒１００への歯間ブラシ２の出し入れのために、筐体１９の収納筒１００に対応する部位に収納口１０１が開口されている。なお歯間ブラシ２の挿着軸２０は出し入れに支障がない程度にきつく収納筒１００内に収納されるように構成されている。【００２７】  歯間ブラシ２は、不使用時には収納口１０１から収納筒１００内に収めておき、使用時にここから取り出して実施例１と同様にして用いることが出来る。従って歯間ブラシ２を収納筒１００内に収めておけば、ブラシ２１が他のものに接触する心配がない。なおこの電動式歯間掃除具１８は旅行用としても最適のものである。
【実施例３】
【００２８】  図５乃至図７で表したこの実施例の電動式歯間掃除具４は、筐体がハンドル側筐体４０と振動側筐体４１とに分かれており（図５）、このハンドル側筐体４０と振動側筐体４１とは、コイルバネ４４とその周りを覆う蛇腹４３とにより接続されている。その内部にはモータ３と制御回路３５とを結ぶリード線３２が通されている（図６）。このモータ３の回転軸３０には重錘３１が偏心状態で取り付けられており、モータ３の回転軸３０の回転に伴って振動を発生する。【００２９】  モータ３は振動側筐体４１内に納められている。ハンドル側筐体４０の内部は図示しないが電池ボックスとなっており電源電池３４を内蔵している。電源スイッチ３６が設けられたハンドル側筐体４０の対応部位に電源ボタン４５が設けられており、電源ボタン４５が押されると電源スイッチ３６はＯＮ状態となり、ＬＥＤライトから成る電源ランプ４６が点灯し、モータ３は弱回転を初める。次に電源ボタン４５が押されると、電源スイッチ３６はＯＮ状態を継続し、モータ３は通常回転に変化する。次に電源ボタン４５が押されると電源スイッチ３６はＯＦＦ状態となり、電源ランプ４６が消灯する。制御回路３５はこのような制御を行うように設定されている。（なお符号４７はメロディーボタンを指しているが、これは後述する実施例４で使用するためのものである。）【００３０】  上述したようにハンドル側筐体４０は振動側筐体４１とは別体であるため、振動側筐体４１からハンドル側筐体４０を持つ手に伝わる振動を、コイルバネ４４と蛇腹４３のそれぞれが良く減衰させてくれる。上述したように実施例１と同じ思想に基づいている。【００３１】  さて、振動側筐体４１の先端部には歯間掃除部としての糸ようじ５の挿着穴４２が設けられており、糸ようじ５の挿着軸５０がこの挿着穴４２に挿入されてきつく装着されるようになっている。従って糸ようじ５は振動側筐体４１の先端部に対して着脱自在ではあるが、重錘３１の振動くらいでは振動側筐体４１から外れることは難しい。この糸ようじ５の二股部分には２列のフロス５１が架け渡されている。ユーザーがハンドル側筐体４０を握った時にフロス５１が楽に歯間に挿入されるように、糸ようじ５全体の形状を設計すれば良い。なお図５では糸ようじ５をその形状が分かりやすい方向から見たものとして表しているが、挿着穴４２への挿入に際しては下から手前に９０度回転させた姿勢にすることになる。【００３２】  そこでユーザーは、電源ボタン４５を押して振動を発生させつつ、ブラッシングしたいと思う歯間に糸ようじ５のフロス５１部分を割り込ませたら、後はハンドル側筐体４０を支えてあまり動かさないようにしているだけで、細かく振動するフロス５１部分が自動的に歯間のブラッシングを行ってくれる。糸ようじ５が劣化した場合には、この糸ようじ５だけを取り替えることが出来る。この実施例では市販の糸ようじ５をそのまま使用し得るようになっている。なお市販のジェルなどをフロス５１部分に塗ってブラッシングするようにしても良い。
【実施例４】
【００３３】  図８で表したこの実施例は、その構成の殆どを上述した実施例３の構成に倣うものであるが、新たにメロディーＩＣ回路６１周りの構成を備えている点で異なる。すなわち電源電池６３から電力の供給を受けるメロディーＩＣ回路６１は、メロディースイッチ６２がＯＮ状態になると所定のメロディーの電気信号をリード線６７を介してモータ６４の図示しない電磁コイルに流す。モータ６４はメロディーの骨伝導部であって、いわゆる骨伝導スピーカとして作用する。なおメロディースイッチ６２が設けられたハンドル側筐体４０の対応部位に、実施例３で触れたメロディーボタン４７が設けられている。【００３４】  一方、電源スイッチ６０が押されてＯＮ状態になると、モータ６４は弱回転を初める。このモータ６４の回転軸６５には重錘６６が偏心状態で取り付けられており、回転軸６５の回転に伴って振動を発生する。次に電源スイッチ６０が押されるとＯＮ状態を継続してモータ６４は通常回転に変化する。次に電源スイッチ６０が押されるとＯＦＦ状態となりモータ６４を停止させる。制御回路６はこのような制御を行うように設定されている。【００３５】  従って、電源スイッチ６０を操作し、糸ようじ５を振動させて歯間をブラッシングする際に、メロディースイッチ６２をＯＮ状態にすると、メロディーＩＣ回路６１から発せられたメロディーの電気信号が骨伝導スピーカとしてのモータ６４を振動させ、この振動は最終的に糸ようじ５のフロス５１に伝達されて、ユーザーの歯を介して骨導音として直接聴覚神経に伝わるため、ユーザーはメロディーを聞きながら歯間のブラッシングを楽しく行うことが出来るのである。
【実施例５】
【００３６】  図９で表したこの実施例の電動式歯間掃除具７は、入りボタン７６の位置に設けられた図示しない電源スイッチをＯＮ状態にすると、筐体７０の内部に収められている図示しない電源電池から電力の供給を受けたモータ３が駆動されるように、シンプルに構成されている。このモータ３の回転軸３０には重錘３１が偏心状態で取り付けられており、回転軸３０の回転に伴って振動を発生する（図９）。次に切りボタン７７の方が押されると電源スイッチはＯＦＦ状態となるように構成されている。【００３７】  筐体１０の先は支持部７１となっており、支持部７１には歯間ブラシ２が取り付けられるようにした頭部７３が回動自在に支持されている。支持部７１には嵌合孔７２が開口されており、この嵌合孔７２に頭部７３の回動軸７４が嵌め合わされて回動自在となっている。また頭部７３には歯間掃除部としての歯間ブラシ２の挿着穴７５が設けられており、歯間ブラシ２の挿着軸２０がこの挿着穴７５に挿入されてきつく装着されるようになっている。従って歯間ブラシ２は頭部７３に対して着脱自在ではあるが、重錘３１の振動くらいでは頭部７３から外れることは難しい。この歯間ブラシ２の挿着軸２０の先にはブラシ２１が形成されている。【００３８】  そこでユーザーは、筐体７０を握った時にブラシ２１が都合良く歯間に挿入されるように、指先で頭部７３の支持部７１に対する角度を調節する。そして入りボタン７６を押して振動を発生させつつ、ブラッシングしたいと思う歯間に歯間ブラシ２のブラシ２１部分を挿通させたら、後は筐体７０を支えてあまり動かさないようにしているだけで、細かく振動するブラシ２１が自動的に歯間のブラッシングをしてくれる。なお市販のジェルなどをブラシ２１部分に塗ってブラッシングするようにしても良い。振動を停止させたくなったら、切りボタン７７を押してモータ３の回転を止めるようにする。【００３９】  歯間ブラシ２が劣化した場合には、頭部７３の挿着穴７５から劣化した歯間ブラシ２を引き抜き、新しいものと交換することが出来る。電動式歯間掃除具７を丸ごと新しいものに取り替える必要がなくなり経済的である。この場合市販の歯間ブラシ２をそのまま用いるように設計することも可能である。このように歯間ブラシ２を新しいものと交換することが出来るようにした構成はこの発明独自のものである。【００４０】  上述したように、歯間ブラシ２の挿着軸２０は挿着穴７５にきつく装着されるようになっているが、更に念を押す意味で、挿着軸２０を強い力で挟み付けたり引っ掛けて止めたりするための部材を頭部７３に備えるようにしても良い。なお挿着穴７５てはなく「挿着孔」とする設計なども任意に行い得る。この場合も歯間ブラシ２はきつく装着される必要がある。これ等の工夫は他の実施例にも適用可能である。
【産業上の利用可能性】
【００４１】  この発明は上述した実施例にのみ限定されるものではない。また口腔内を照らす照明具を備えるようにしても良い。なおこの発明は電動式の耳掻きなどにも広く適用することが可能である。
【符号の説明】
【００４２】  １    歯間掃除具    １０  ハンドル側筐体  １１  開口部
１２  蓋部          １３  振動側筐体      １４  モータ室
１５  挿着穴        １６  振動吸収ゴム    １７  電源スイッチ
１８  歯間掃除具    １９  ハンドル側筐体  １００収納筒
１０１収納口
２    歯間ブラシ    ２０  挿着軸          ２１  ブラシ部
３    モータ        ３０  回転軸          ３１  重錘
３２  リード線      ３３  電源スイッチ    ３４  電源電池
３５  制御回路      ３６  スイッチ
４    歯間掃除具    ４０  ハンドル側筐体  ４１  振動側筐体
４２  挿着穴        ４３  蛇腹            ４４  コイルバネ
４５  電源ボタン    ４６  電源ランプ      ４７  メロディーボタン
５    糸ようじ      ５０  挿着軸          ５１  フロス
６    制御回路      ６０  電源スイッチ    ６１  メロディーＩＣ回路
６２  メロディースイッチ  ６３  電源電池  ６４  モータ
６５  回転軸        ６６  重錘            ６７  リード線
７    歯間掃除具    ７０  筐体            ７１  支持部
７２  嵌合孔        ７３  頭部            ７４  回動軸
７５  挿着穴        ７６  入りボタン      ７７  切りボタン
８    歯間掃除具    ８０  筐体            ８１  頭部
８２  固着穴        ８３  歯間ブラシ      ８４  挿着軸
８５  ブラシ部      ８６  入りボタン      ８７  切りボタン
【図１】
2015080711.tif 000003
【図２】
2015080711.tif 000004
【図３】
2015080711.tif 000005
【図４】
2015080711.tif 000006
【図５】
2015080711.tif 000007
【図６】
2015080711.tif 000008
【図７】
2015080711.tif 000009
【図８】
2015080711.tif 000010
【図９】
2015080711.tif 000011
【図１０】
2015080711.tif 000012